(57)【要約】  【課題】  伝搬路および機器内の結合等による干渉妨害の影響を受け難い伝送装置を提供すること。  【解決手段】  所定の情報を含む信号が情報の重要度に応じた配置順序で信号の伝送周波数帯域に配置された電波を受信する受信アンテナ１０１と、第１の局部発振周波数を生成する第１局部発振器１０２と、第２の局部発振周波数を生成する第２局部発振器１０３と、第１の局部発振周波数に基づいて受信アンテナ１０１によって受信された電波の無線周波数を所定の中間周波数に変換するミクサ１０４と、第２の局部発振周波数に基づいて中間周波数を所定の無線周波数に変換するミクサ１０５と、配置順序が反転された信号を含む電波を送信する送信アンテナ１０６とを備える構成とすることにより、干渉妨害の影響を受け難いようにした。【選択図】  図１
2005057594.tif 000002
【特許請求の範囲】
【請求項１】
所定の情報を含む第１の信号が前記情報の指標に応じた第１の配置順序で伝送周波数帯域に配置された電波を受信し、周波数変換した後に該受信周波数帯域とは異なる送信周波数帯域で伝送するとともに、
所定の情報を含む第２の信号が前記第１の配置順序とは反転した第２の配置順序で伝送周波数帯域に配置された電波を受信し、周波数変換した後に該受信周波数帯域とは異なる送信周波数帯域で伝送する、
ことを特徴とする伝送方法。
【請求項２】
前記第１の信号と前記第２の信号の受信周波数帯域は一致しており、前記第１の信号と前記第２の信号の送信周波数帯域は一致している、
ことを特徴とする請求項１記載の伝送方法。
【請求項３】
前記情報の指標は情報の重要度であることを特徴とする請求項１または２記載の伝送方法。
【請求項４】
所定の情報を含む第１の信号が前記情報の指標に応じた第１の配置順序で伝送周波数帯域に配置された電波を受信する第１の電波受信手段と、第１の局部発振信号を生成する第１局部発振手段と、前記第１の局部発振信号に基づいて前記第１の電波受信手段によって受信された信号を所定の中間周波数に変換する第１の周波数変換手段と、第２の局部発振信号を生成する第２局部発振手段と、前記第２の局部発振信号に基づいて前記第１の周波数変換手段の出力を所定の無線周波数に変換する第２の周波数変換手段と、該無線周波数の信号を送信する第１の電波送信手段と、
所定の情報を含む第２の信号が前記第２の配置順序とは反転した第２の配置順序で伝送周波数帯域に配置された電波を受信する第２の電波受信手段と、前記第１の局部発振信号に基づいて前記第２の電波受信手段によって受信された信号を所定の中間周波数に変換する第３の周波数変換手段と、前記第２の局部発振信号に基づいて前記第３の周波数変換手段の出力を所定の無線周波数に変換する第４の周波数変換手段と、該無線周波数の信号を送信する第２の電波送信手段と、
を備えたことを特徴とする伝送装置。
【請求項５】
所定の情報を含む第１の信号が前記情報の指標に応じた第１の配置順序で伝送周波数帯域に配置された電波を受信する第１の電波受信手段と、第１の局部発振信号を生成する第１局部発振手段と、前記第１の局部発振信号に基づいて前記第１の電波受信手段によって受信された信号を所定の中間周波数に変換する第１の周波数変換手段と、第２の局部発振信号を生成する第２局部発振手段と、前記第２の局部発振信号に基づいて前記第１の周波数変換手段の出力を所定の無線周波数に変換する第２の周波数変換手段と、該無線周波数の信号を送信する第１の電波送信手段と、
所定の情報を含む第２の信号が前記第２の配置順序とは反転した第２の配置順序で伝送周波数帯域に配置された電波を受信する第２の電波受信手段と、前記第２の局部発振信号に基づいて前記第２の電波受信手段によって受信された信号を所定の中間周波数に変換する第３の周波数変換手段と、前記第１の局部発振信号に基づいて前記第３の周波数変換手段の出力を所定の無線周波数に変換する第４の周波数変換手段と、該無線周波数の信号を送信する第２の電波送信手段と、
を備えたことを特徴とする伝送装置。
【請求項６】
前記第１の電波受信手段で受信する受信周波数帯域と前記第２の電波受信手段で受信する受信周波数帯域は一致していることを特徴とする請求項４または５記載の伝送装置。
【請求項７】
前記情報の指標は情報の重要度であることを特徴とする請求項４乃至６のいずれか１項記載の伝送装置。
【発明の詳細な説明】
【技術分野】
【０００１】
本発明は、伝送方法および伝送装置に関し、さらに詳しくは、例えば、ミリ波帯の電波を利用した通信によって信号を伝送する伝送方法および伝送装置に関する。
【背景技術】
【０００２】
従来、この種の伝送装置として特開２００１−２４５７０号公報に開示されたものが知られている。従来の伝送装置は、親局と伝送装置間、伝送装置と子局間の信号の伝送において、それぞれ、上りチャンネルおよび下りチャンネルの周波数ブロックを入れ替えることによって、ミリ波帯の局部発振器が不要な構成となっている。なお、下りチャンネルとは、親局から伝送装置を介して子局に伝送されるチャンネルをいい、上りチャンネルとは、子局から伝送装置を介して親局に伝送されるチャンネルをいう。
【０００３】
従来の伝送装置は、図５（ａ）に示すように、下りチャンネル帯に含まれる所定下りチャンネルｃｈ１Ｄと上りチャンネル帯のうち所定下りチャンネルｃｈ１Ｄに対応する所定上りチャンネルｃｈ１Ｕとを用いて、親局と伝送装置の間で双方向無線通信を行う。また、図５（ｂ）に示すように、伝送装置から子局への下り通信を、下りチャンネル帯のうち、所定下りチャンネルｃｈ１Ｕとは異なる別の下りチャンネルｃｈ２Ｕまたはｃｈ３Ｕを用いて行い、子局から伝送装置への上り通信を、上りチャンネル帯のうち，所定上りチャンネルｃｈ１Ｄとは異なる別の上りチャンネルｃｈ２Ｄまたはｃｈ３Ｄを用いて行う。
【０００４】
以上のように、従来の伝送装置は、４種類の信号を別々の周波数とし、周波数の違いにより信号分離度を確保することによって、例えば、多重反射波、回り込み波等による干渉を防止するようになっている。
【特許文献１】特開２００１−２４５７０号公報（第４−５頁、第４図）
【発明の開示】
【発明が解決しようとする課題】
【０００５】
しかしながら、このような従来の伝送装置は、伝送する信号数の数倍の帯域が必要になり、周波数の利用効率が悪いという問題があった。例えば、伝送装置１台に対し、上りチャンネルでは４倍の帯域が必要になり、また、隣接する伝送装置に異なるチャンネルがある場合は８倍の帯域が必要になる。
【０００６】
さらに、従来の伝送装置は、ミリ波帯をチャンネルで細分化するので、ミリ波帯の広帯域性を生かした伝送ができなくなるという問題があった。
【０００７】
本発明はこのような問題を解決するためになされたもので、信号を伝送する周波数帯をチャンネルに細分化することなく、周波数を効率よく利用でき、しかも、伝搬路および機器内の結合等による干渉妨害の影響を受け難い伝送装置を提供するものである。
【課題を解決するための手段】
【０００８】
本発明の伝送方法は、所定の情報を含む第１の信号が前記情報の指標に応じた第１の配置順序で伝送周波数帯域に配置された電波を受信し、周波数変換した後に該受信周波数帯域とは異なる送信周波数帯域で伝送するとともに、所定の情報を含む第２の信号が前記第１の配置順序とは反転した第２の配置順序で伝送周波数帯域に配置された電波を受信し、周波数変換した後に該受信周波数帯域とは異なる送信周波数帯域で伝送する、ことを特徴とする方法を有している。
【０００９】
この方法により、伝送する信号が同一の周波数帯で変換されたとしても指標による配置順位が高い情報同士が周波数軸上で重なることはなく、信号を伝送する周波数帯をチャンネルに細分化することなく、周波数を効率よく利用でき、しかも、伝搬路および機器内の結合等による干渉妨害の影響を受け難い伝送を行うことができる。
【００１０】
また、本発明の伝送方法は、前記第１の信号と前記第２の信号の受信周波数帯域は一致しており、前記第１の信号と前記第２の信号の送信周波数帯域は一致している、ことを特徴とする方法を有している。
【００１１】
この方法により、第１の信号および第２の信号の相互干渉を軽減することができる。
【００１２】
また、本発明の伝送方法は、前記情報の指標は情報の重要度であることを特徴とする方法を有している。
【００１３】
この方法により、伝送する信号が同一の周波数帯で変換されたとしても重要度の高い情報同士が周波数軸上で重なることはないので、信号を伝送する周波数帯をチャンネルに細分化することなく、周波数を効率よく利用でき、しかも、伝搬路および機器内の結合等による干渉妨害の影響を受け難い伝送を行うことができる。
【００１４】
本発明の伝送装置は、所定の情報を含む第１の信号が前記情報の指標に応じた第１の配置順序で伝送周波数帯域に配置された電波を受信する第１の電波受信手段と、第１の局部発振信号を生成する第１局部発振手段と、前記第１の局部発振信号に基づいて前記第１の電波受信手段によって受信された信号を所定の中間周波数に変換する第１の周波数変換手段と、第２の局部発振信号を生成する第２局部発振手段と、前記第２の局部発振信号に基づいて前記第１の周波数変換手段の出力を所定の無線周波数に変換する第２の周波数変換手段と、該無線周波数の信号を送信する第１の電波送信手段と、所定の情報を含む第２の信号が前記第２の配置順序とは反転した第２の配置順序で伝送周波数帯域に配置された電波を受信する第２の電波受信手段と、前記第１の局部発振信号に基づいて前記第２の電波受信手段によって受信された信号を所定の中間周波数に変換する第３の周波数変換手段と、前記第２の局部発振信号に基づいて前記第３の周波数変換手段の出力を所定の無線周波数に変換する第４の周波数変換手段と、該無線周波数の信号を送信する第２の電波送信手段と、を備えたことを特徴とする構成を有している。
【００１５】
この構成により、電波送信手段は、電波受信手段によって受信された信号の配置順序が反転された信号を送信するので、伝送する信号が同一の周波数帯で変換されたとしても指標による配置順位が高い情報同士が周波数軸上で重なることがなくなり、信号を伝送する周波数帯をチャンネルに細分化することなく周波数を効率よく利用でき、しかも、伝搬路および機器内の結合等による干渉妨害の影響を受け難い伝送を行うことができる。
【００１６】
また、本発明の伝送装置は、所定の情報を含む第１の信号が前記情報の指標に応じた第１の配置順序で伝送周波数帯域に配置された電波を受信する第１の電波受信手段と、第１の局部発振信号を生成する第１局部発振手段と、前記第１の局部発振信号に基づいて前記第１の電波受信手段によって受信された信号を所定の中間周波数に変換する第１の周波数変換手段と、第２の局部発振信号を生成する第２局部発振手段と、前記第２の局部発振信号に基づいて前記第１の周波数変換手段の出力を所定の無線周波数に変換する第２の周波数変換手段と、該無線周波数の信号を送信する第１の電波送信手段と、所定の情報を含む第２の信号が前記第２の配置順序とは反転した第２の配置順序で伝送周波数帯域に配置された電波を受信する第２の電波受信手段と、前記第２の局部発振信号に基づいて前記第２の電波受信手段によって受信された信号を所定の中間周波数に変換する第３の周波数変換手段と、前記第１の局部発振信号に基づいて前記第３の周波数変換手段の出力を所定の無線周波数に変換する第４の周波数変換手段と、該無線周波数の信号を送信する第２の電波送信手段と、を備えたことを特徴とする構成を有している。
【００１７】
この構成により、電波送信手段は、電波受信手段によって受信された信号の配置順序が反転された信号を送信するので、伝送する信号が同一の周波数帯で変換されたとしても指標による配置順位が高い情報同士が周波数軸上で重なることがなくなり、信号を伝送する周波数帯をチャンネルに細分化することなく周波数を効率よく利用でき、しかも、伝搬路および機器内の結合等による干渉妨害の影響を受け難い伝送を行うことができる。
【００１８】
また、本発明の伝送装置は、前記第１の電波受信手段で受信する受信周波数帯域と前記第２の電波受信手段で受信する受信周波数帯域は一致していることを特徴とする構成を有している。
【００１９】
この構成により、第１の信号および第２の信号の相互干渉を軽減することができる。
【００２０】
また、本発明の伝送装置は、前記情報の指標は情報の重要度であることを特徴とする構成を有している。
【００２１】
この構成により、電波送信手段は、電波受信手段によって受信された信号の配置順序が反転された信号を送信するので、伝送する信号が同一の周波数帯で変換されたとしても重要度が高い情報同士が周波数軸上で重なることがなくなり、信号を伝送する周波数帯をチャンネルに細分化することなく周波数を効率よく利用でき、しかも、伝搬路および機器内の結合等による干渉妨害の影響を受け難い伝送を行うことができる。
【発明の効果】
【００２２】
本発明によれば、伝送する信号が同一の周波数帯で変換されたとしても重要度の高い情報同士が周波数軸上で重なることはないので、信号を伝送する周波数帯をチャンネルに細分化することなく、周波数を効率よく利用でき、しかも、伝搬路および機器内の結合等による干渉妨害の影響を受け難いリピータ装置を提供することができる。
【００２３】
また、本発明によれば、伝送する信号の送受信部を入れ替えることによってリピータ装置の共通化が図れるので、複数のリピータ装置を備えた伝送システムを安価に構築することができる。
【００２４】
また、本発明によれば、局部発振器の共有化ができるので、リピータ装置および伝送システムの低廉化を図ることができる。
【発明を実施するための最良の形態】
【００２５】
以下、本発明の実施の形態について、図面を参照して説明する。なお、本実施の形態の伝送装置をリピータ装置に適用した例を挙げて説明する。
（第１の実施の形態）
まず、本発明の第１の実施の形態のリピータ装置の構成について説明する。
【００２６】
図１に示すように、本実施の形態のリピータ装置１００は、所定の情報を含む第１の信号が情報の重要度に応じた配置順序で信号の伝送周波数帯域に配置された電波を装置１７０から受信する受信アンテナ１０１と、第１の局部発振周波数を生成する第１局部発振器１０２と、第２の局部発振周波数を生成する第２局部発振器１０３と、第１の局部発振周波数に基づいて受信アンテナ１０１によって受信された電波の無線周波数を所定の中間周波数に変換するミクサ１０４と、第２の局部発振周波数に基づいて中間周波数を所定の無線周波数に変換するミクサ１０５と、受信アンテナ１０１によって受信された電波の配置順序に対して反転された配置順序の電波を次段のリピータ装置１５０に送信する送信アンテナ１０６とを備えている。
【００２７】
また、本実施の形態のリピータ装置１００は、所定の情報を含む第２の信号が情報の重要度に応じた配置順序で信号の伝送周波数帯域に配置された電波をリピータ装置１５０から受信する受信アンテナ１０７と、第１の局部発振周波数に基づいて受信アンテナ１０７によって受信された電波の無線周波数を所定の中間周波数に変換するミクサ１０８と、第２の局部発振周波数に基づいて中間周波数を所定の無線周波数に変換するミクサ１０９と、受信アンテナ１０７によって受信された電波の配置順序に対して反転された配置順序の電波を装置１７０に送信する送信アンテナ１１０とを備えている。
【００２８】
なお、図１において、帯域制限を行うフィルタ、信号レベルを調整するアンプ等の構成は省略している。また、リピータ装置１５０は、前述のリピータ装置１００と同様な構成なので、構成の説明は省略する。
【００２９】
ここで、情報の重要度に応じた順序で伝送周波数帯域に配置された信号の一例について、図２を参照して説明する。
【００３０】
図２（ａ）において、横軸は周波数、縦軸は信号に含まれる情報の重要度を示している。信号の伝送周波数帯域幅内には、信号ａ、信号ｂ、および信号ｃが示され、信号の周波数が高くなるに従って信号の重要度が高くなるよう配置されている。
【００３１】
なお、信号に含まれる情報の重要度が高いものとしては、例えば、階層化伝送における低階層レベルの情報、同期再生およびクロック再生等に使用されるパイロット信号等が挙げられる。これらの重要度が高い情報には、例えば、電力を多く割り当てたり、ＣＮ比（Carrier to Noise ratio：搬送波と雑音の比）が低くても受信可能な変調方式を用いたりすることにより、重要度の高い情報は、干渉妨害があっても正常に信号を受信することができる。
【００３２】
また、図２（ａ）における信号の表示は、情報の重要度に応じた順序で伝送周波数帯域幅内に配置された信号をわかりやすく説明するためのものであり、図示された配置に限定されるものではない。また、信号に含まれる情報の重要度に応じて伝送周波数帯域幅内に信号を配置することを、以下、周波数配置という。
【００３３】
図２（ｂ）は、図２（ａ）に示された周波数配置を簡略化した三角形で表したものであり、三角形の底辺は、信号の伝送周波数帯域幅を示し、三角形の高さ方向は情報の重要度を示している。なお、図２（ｂ）に示された三角形の配置は、以下、昇順周波数配置という。
【００３４】
一方、図２（ｂ）に示された三角形を左右反転した配置、すなわち、信号の周波数が高くなるに従って信号の重要度が低くなる配置は、図２（ｂ）に示された三角形を左右反転させた三角形で表し、この配置を以下、降順周波数配置という。
【００３５】
なお、図１において、伝送周波数帯域と信号の重要度との関係は、昇順周波数配置または降順周波数配置を表した三角形で示している。昇順周波数配置および降順周波数配置による伝送においては、伝送する信号が同一の周波数帯で変換されたとしても重要度の高い情報同士が周波数軸上で重なることを防止することができる。
【００３６】
また、図１において、伝送信号（以下、ＩＦ信号という。）の所望の中間周波数は、１〜２ＧＨｚとし、無線周波数（以下、ＲＦ周波数という。）は、５９〜６０ＧＨｚおよび６０〜６１ＧＨｚの２つの伝送周波数帯域を利用するものとする。また、第１の局部発振周波数は５８ＧＨｚ、第２の局部発振周波数は６２ＧＨｚとしている。
【００３７】
図１においては、本実施の形態のリピータ装置１００およびリピータ装置１５０は、装置１７０と装置１８０との間に設置され、この間における双方向の通信を行う構成例が示されている。以下の説明において、装置１７０から装置１８０に信号が進む方向を系統１、装置１８０から装置１７０に信号が進む方向を系統２とする。
【００３８】
系統１においては、装置１７０からリピータ装置１００に送信するＲＦ周波数を５９〜６０ＧＨｚ、リピータ装置１００からリピータ装置１５０に送信するＲＦ周波数を６０〜６１ＧＨｚ、リピータ装置１５０から装置１８０に送信するＲＦ周波数を５９〜６０ＧＨｚとし、装置毎に交互にＲＦ周波数を変更する構成としている。
【００３９】
一方、系統２においては、装置１８０からリピータ装置１５０に送信するＲＦ周波数を６０〜６１ＧＨｚ、リピータ装置１５０からリピータ装置１００に送信するＲＦ周波数を５９〜６０ＧＨｚ、リピータ装置１００から装置１７０に送信するＲＦ周波数を６０〜６１ＧＨｚとし、装置毎に交互にＲＦ周波数を変更する構成としている。
【００４０】
次に、本実施の形態のリピータ装置１００の動作について、図１を参照して説明する。
【００４１】
最初に系統１の動作について説明する。
【００４２】
図１において、まず、受信アンテナ１０１によって、装置１７０から送信されたＲＦ周波数５９〜６０ＧＨｚの昇順周波数配置の電波が受信される。次いで、ミクサ１０４によって、周波数５８ＧＨｚの第１局部発振器１０２をアンダーローカルとして用いて受信された電波が１〜２ＧＨｚの周波数に周波数変換（以下、ダウンコンバートという。）され、周波数が１〜２ＧＨｚの昇順周波数配置のＩＦ信号が得られる。
【００４３】
引き続き、ミクサ１０５によって、６２ＧＨｚの第２局部発振器１０３をアッパーローカルとして用いて、分配されたＩＦ信号の一部がＲＦ周波数帯に周波数変換（以下、アップコンバートという。）される。このとき、アッパーローカルの性質から、アップコンバートされた信号は、周波数配置が反転する。すなわち、ミクサ１０５によって、昇順周波数配置の電波の周波数配置が反転され、降順周波数配置の電波になる。
【００４４】
さらに、送信アンテナ１０６によって、アップコンバートされたＲＦ周波数６０〜６１ＧＨｚの降順周波数配置の電波がリピータ装置１５０に送信され、受信アンテナ１５１によって受信される。リピータ装置１５０においては、リピータ装置１００と同様な処理が行われる。
【００４５】
次に系統２の動作について説明する。
【００４６】
まず、受信アンテナ１０７によって、リピータ装置１５０から送信されたＲＦ周波数５９〜６０ＧＨｚの降順周波数配置の電波が受信される。次いで、ミクサ１０８によって、周波数５８ＧＨｚの第１局部発振器１０２をアンダーローカルとして用いて、受信された電波が１〜２ＧＨｚの周波数にダウンコンバートされ、周波数が１〜２ＧＨｚの降順周波数配置のＩＦ信号が得られる。ここで、図示しない３ＧＨｚの局部発振器をアッパーローカルとして用いることによって、周波数が１〜２ＧＨｚの昇順周波数配置のＩＦ信号を得ることができる。
【００４７】
引き続き、ミクサ１０９によって、６２ＧＨｚの第２局部発振器１０３をアッパーローカルとして用いて、分配されたＩＦ信号の一部がアップコンバートされる。このとき、周波数配置は、降順周波数配置が反転されて昇順周波数配置になる。
【００４８】
さらに、送信アンテナ１１０によって、アップコンバートされたＲＦ周波数６０〜６１ＧＨｚの昇順周波数配置の電波が装置１７０に送信される。
【００４９】
前述のように、リピータ装置１００は、系統１における送信信号および受信信号と、系統２における送信信号および受信信号とがそれぞれ異なるＲＦ周波数を使用しているので、装置１７０から送信された電波が直接リピータ装置１５０に受信されることによって生じる干渉、すなわち、オーバーリーチ干渉を防止することができる。また、装置１７０およびリピータ装置１００の間の電波とリピータ装置１００およびリピータ装置１５０の間との電波は、送信および受信で異なるＲＦ周波数を使用しているので、送受信間の電波の回り込みおよびリピータ装置の内部での結合による干渉を防止することができる。
【００５０】
一方、系統１における受信および系統２における受信は、ＲＦ周波数が同じなので電波の回り込みによる干渉が生じることが考えられる。しかし、ＲＦ周波数は同じでも周波数配置が互いに異なっているので、干渉の影響は極めて少ない。
【００５１】
また、送信および受信において同一の局部発振器を使用しているので、系統１と系統２との間の分離が不十分になり、干渉が生じることが考えられる。しかし、系統１および系統２におけるＩＦ信号は、周波数は同じでも周波数配置が互いに異なっているので、干渉の影響は極めて少ない。なお、同一の局部発振器を使用することによってリピータ装置１００の低廉化を図ることができる。
【００５２】
また、リピータ装置１５０は、リピータ装置１００の入出力を反転することによって構成することができるので、リピータ装置１００と同様に干渉による影響を軽減することができる。
【００５３】
なお、受信アンテナ１０１、受信アンテナ１０７、送信アンテナ１０６、および送信アンテナ１１０は、それぞれ、第１の電波受信手段、第２の電波受信手段、第１の電波送信手段、および第２の電波送信手段を構成している。また、第１局部発振器１０２および第２局部発振器１０３は、それぞれ、第１の局部発振手段および第２の局部発振手段を構成している。また、ミクサ１０４およびミクサ１０５は、それぞれ、第１の周波数変換手段および第２の周波数変換手段を構成している。また、ミクサ１０８およびミクサ１０９は、それぞれ、第３の周波数変換手段および第４の周波数変換手段を構成している。
【００５４】
また、本実施の形態は、図１に示すように、装置１７０、リピータ装置１００、リピータ装置１５０、および装置１８０による４段の装置の構成で説明したが、信号を伝送する装置の段数は４段に限定するものではなく、任意に増減してもよい。また、説明で例示した局部発振周波数、中間周波数、ＲＦ周波数等の各周波数も例示した各値に限定するものではない。また、周波数配置の設定は信号に含まれる情報の重要度に応じたものに限定されず、信号に含まれる情報の指標に応じた配置順序で周波数配置を設定するようにしてもよい。
【００５５】
以上のように、本実施の形態のリピータ装置１００によれば、送信アンテナ１０６は、受信アンテナ１０１によって受信された信号の配置順序が反転された信号を送信する構成としたので、伝送する信号が同一の周波数帯で変換されたとしても重要度の高い情報同士が周波数軸上で重なることがなくなり、信号を伝送する周波数帯をチャンネルに細分化することなく周波数を効率よく利用でき、しかも、伝搬路および機器内の結合等による干渉妨害の影響を受け難い伝送を行うことができる。
【００５６】
なお、本実施の形態のリピータ装置１００において、系統１および系統２の周波数配置を装置毎に反転させない構成、例えば、系統１を昇順周波数配置に統一し、系統２を降順周波数配置に統一する構成にした場合も、同様の効果を得ることができる。
【００５７】
また、連続する２つの伝送周波数帯域によって信号伝送する構成例を示したが、連続しない２つの伝送周波数帯域によって信号伝送する構成としても、同様の効果を得ることができる。
（第２の実施の形態）
まず、本発明の第２の実施の形態のリピータ装置の構成について説明する。
【００５８】
図３に示すように、本実施の形態のリピータ装置３００は、本発明の第１の実施の形態のリピータ装置１００に対して、系統２における局部発振器の組み合わせを変更し、新たに局部発振器３１１およびミクサ３１２を追加したものと同様の構成であるので、共通の構成の説明は省略する。また、本実施の形態のリピータ装置３５０も、系統２における局部発振器の組み合わせを変更し、新たに局部発振器３６１およびミクサ３６２を追加したものと同様の構成であるので、共通の構成の説明は省略する。
【００５９】
図３において、局部発振器３１１および局部発振器３６１は、１ＧＨｚの局部発振周波数を発生するようになっている。また、ミクサ３１２およびミクサ３６２は、１ＧＨｚの局部発振周波数を用いて、２〜３ＧＨｚに変換されたＩＦ信号を所望の１〜２ＧＨｚのＩＦ信号に再度変換するようになっている。
【００６０】
次に、本実施の形態のリピータ装置３００の動作について、図３を参照して説明する。
【００６１】
最初に系統１の動作について説明する。
【００６２】
図３において、まず、受信アンテナ３０１によって、装置３７０から送信されたＲＦ周波数５９〜６０ＧＨｚの昇順周波数配置の電波が受信される。次いで、ミクサ３０４によって、周波数５８ＧＨｚの第１局部発振器３０２をアンダーローカルとして用いて、受信された電波が１〜２ＧＨｚの周波数にダウンコンバートされ、周波数が１〜２ＧＨｚの昇順周波数配置のＩＦ信号が得られる。
【００６３】
引き続き、ミクサ３０５によって、６２ＧＨｚの第２局部発振器３０３をアッパーローカルとして用いて、分配されたＩＦ信号の一部がアップコンバートされる。このとき、アッパーローカルの性質から、アップコンバートされた信号は、周波数配置が反転する。すなわち、ミクサ３０５によって、昇順周波数配置の電波の周波数配置が反転され、降順周波数配置の電波になる。
【００６４】
さらに、アップコンバートされたＲＦ周波数６０〜６１ＧＨｚの降順周波数配置の電波が送信アンテナ３０６によってリピータ装置３５０に送信され、受信アンテナ３５１によって受信される。リピータ装置３５０においては、リピータ装置３００と同様な処理が行われる。
【００６５】
次に系統２の動作について説明する。
【００６６】
まず、受信アンテナ３０７によって、リピータ装置３５０から送信されたＲＦ周波数５９〜６０ＧＨｚの降順周波数配置の電波が受信される。次いで、ミクサ３０８によって、周波数６２ＧＨｚの第２局部発振器３０３をアッパーローカルとして用いて、受信された電波が２〜３ＧＨｚの周波数にダウンコンバートされ、周波数が２〜３ＧＨｚの昇順周波数配置のＩＦ信号が得られる。
【００６７】
引き続き、ミクサ３１２によって、１ＧＨｚの局部発振器３１１を用いて、周波数が１〜２ＧＨｚの昇順周波数配置のＩＦ信号が得られる。次いで、ミクサ３０９によって、５８ＧＨｚの第１局部発振器３０２をアンダーローカルとして用いて、ＩＦ信号の一部がＲＦ周波数６０〜６１ＧＨｚの昇順周波数配置の電波にアップコンバートされる。
【００６８】
さらに、送信アンテナ３１０によって、アップコンバートされたＲＦ周波数６０〜６１ＧＨｚの昇順周波数配置の電波が装置３７０に送信される。
【００６９】
前述のように、リピータ装置３００は、系統１における送信信号および受信信号と、系統２における送信信号および受信信号とがそれぞれ異なるＲＦ周波数を使用しているので、装置３７０から送信された電波が直接リピータ装置３５０に受信されることによって生じる干渉、すなわち、オーバーリーチ干渉を防止することができる。また、装置３７０およびリピータ装置３００の間の電波とリピータ装置３００およびリピータ装置３５０の間との電波は、送信および受信で異なるＲＦ周波数を使用しているので、送受信間の電波の回り込みおよびリピータ装置の内部での結合による干渉を防止することができる。
【００７０】
一方、系統１における受信および系統２における受信は、ＲＦ周波数が同じなので電波の回り込みによる干渉が生じることが考えられる。しかし、ＲＦ周波数は同じでも周波数配置が互いに異なっているので、干渉の影響は極めて少ない。
【００７１】
また、送信および受信において同一の局部発振器を使用しているので、系統１と系統２との間の分離が不十分になり、干渉が生じることが考えられる。しかし、系統１および系統２におけるＩＦ信号は、周波数は同じでも周波数配置が互いに異なっているので、干渉の影響は極めて少ない。なお、同一の局部発振器を使用することによってリピータ装置３００の低廉化を図ることができる。
【００７２】
また、リピータ装置３５０は、リピータ装置３００の入出力を反転することによって構成することができるので、リピータ装置３００と同様に干渉による影響を軽減することができる。
【００７３】
また、本実施の形態は、図３に示すように、装置３７０、リピータ装置３００、リピータ装置３５０、および装置３８０による４段の装置の構成で説明したが、信号を伝送する装置の段数は４段に限定するものではなく、任意に増減してもよい。また、説明で例示した局部発振周波数、中間周波数、ＲＦ周波数等の各周波数も例示した各値に限定するものではない。
【００７４】
なお、受信アンテナ３０１、受信アンテナ３０７、送信アンテナ３０６、および送信アンテナ３１０は、それぞれ、第１の電波受信手段、第２の電波受信手段、第１の電波送信手段、および第２の電波送信手段を構成している。また、第１局部発振器３０２および第２局部発振器３０３は、それぞれ、第１の局部発振手段および第２の局部発振手段を構成している。また、ミクサ３０４およびミクサ３０５は、それぞれ、第１の周波数変換手段および第２の周波数変換手段を構成している。また、ミクサ３０８およびミクサ３０９は、それぞれ、第３の周波数変換手段および第４の周波数変換手段を構成している。
【００７５】
以上のように、本実施の形態のリピータ装置３００によれば、送信アンテナ３０６は、受信アンテナ３０１によって受信された信号の配置順序が反転された信号を送信する構成としたので、伝送する信号が同一の周波数帯で変換されたとしても重要度の高い情報同士が周波数軸上で重なることがなくなり、信号を伝送する周波数帯をチャンネルに細分化することなく周波数を効率よく利用でき、しかも、伝搬路等による干渉妨害の影響を受け難い伝送を行うことができる。また、機器内において、局部発振器３１１およびミクサ３１２によって系統２の信号が周波数変換されるまでは、系統１と系統２の信号の周波数帯が異なるため、系統１と系統２との結合による干渉は発生しない。
【００７６】
なお、本実施の形態のリピータ装置３００において、系統１および系統２の周波数配置を装置毎に反転させない構成、例えば、系統１を昇順周波数配置に統一し、系統２を降順周波数配置に統一する構成にした場合も、同様の効果を得ることができる。
【００７７】
また、連続する２つの伝送周波数帯域によって信号伝送する構成例を示したが、連続しない２つの伝送周波数帯域によって信号伝送する構成としても、同様の効果を得ることができる。
（第３の実施の形態）
まず、本発明の第３の実施の形態のリピータ装置の構成について説明する。
【００７８】
図４に示すように、本実施の形態のリピータ装置４００は、本発明の第１の実施の形態のリピータ装置１００に備えられた局部発振周波数が６２ＧＨｚの第２局部発振器１０３に代えて局部発振周波数が５９ＧＨｚの第２局部発振器４０３を備えた構成と同様の構成であるので、構成の説明は省略する。同様に、本実施の形態のリピータ装置４５０も、本発明の第１の実施の形態のリピータ装置１５０に備えられた局部発振周波数が６２ＧＨｚの第２局部発振器１５３に代えて局部発振周波数が５９ＧＨｚの第２局部発振器４５３を備えた構成と同様の構成であるので、構成の説明は省略する。
【００７９】
次に、本実施の形態のリピータ装置４００の動作について、図４を参照して説明する。
【００８０】
最初に系統１の動作について説明する。
【００８１】
図４において、まず、受信アンテナ４０１によって、装置４７０から送信されたＲＦ周波数５９〜６０ＧＨｚの昇順周波数配置の電波が受信される。次いで、ミクサ４０４によって、周波数５８ＧＨｚの第１局部発振器４０２をアンダーローカルとして用いて、受信された電波が１〜２ＧＨｚの周波数にダウンコンバートされ、周波数が１〜２ＧＨｚの昇順周波数配置のＩＦ信号が得られる。
【００８２】
引き続き、ミクサ４０５によって、５９ＧＨｚの第２局部発振器４０３をアンダーローカルとして用いて、ＩＦ信号の一部がＲＦ周波数６０〜６１ＧＨｚの昇順周波数配置の電波にアップコンバートされる。
【００８３】
さらに、送信アンテナ４０６によって、アップコンバートされたＲＦ周波数６０〜６１ＧＨｚの昇順周波数配置の電波がリピータ装置４５０に送信され、受信アンテナ４５１によって受信される。リピータ装置４５０においては、リピータ装置４００と同様な処理が行われる。
【００８４】
次に系統２の動作について説明する。
【００８５】
まず、受信アンテナ４０７によって、リピータ装置４５０から送信されたＲＦ周波数５９〜６０ＧＨｚの降順周波数配置の電波が受信される。次いで、ミクサ４０８によって、周波数５８ＧＨｚの第１局部発振器４０２をアンダーローカルとして用いて、受信された電波が１〜２ＧＨｚの周波数にダウンコンバートされ、周波数が１〜２ＧＨｚの降順周波数配置のＩＦ信号が得られる。ここで、図示しない３ＧＨｚの局部発振器をアッパーローカルとして用いることによって、周波数が１〜２ＧＨｚの昇順周波数配置のＩＦ信号を得ることができる。
【００８６】
引き続き、ミクサ４０９によって、５９ＧＨｚの第２局部発振器４０３をアンダーローカルとして用いて、ＩＦ信号の一部がアップコンバートされる。
【００８７】
さらに、送信アンテナ４１０によって、アップコンバートされたＲＦ周波数６０〜６１ＧＨｚの降順周波数配置の電波が装置４７０に送信される。
【００８８】
前述のように、リピータ装置４００は、系統１における送信信号および受信信号と、系統２における送信信号および受信信号とがそれぞれ異なるＲＦ周波数を使用しているので、装置４７０から送信された電波が直接リピータ装置４５０に受信されることによって生じる干渉、すなわち、オーバーリーチ干渉を防止することができる。また、装置４７０およびリピータ装置４００の間の電波とリピータ装置４００およびリピータ装置４５０の間との電波は、送信および受信で異なるＲＦ周波数を使用しているので、送受信間の電波の回り込みおよびリピータ装置の内部での結合による干渉を防止することができる。
【００８９】
一方、系統１における受信および系統２における受信は、ＲＦ周波数が同じなので電波の回り込みによる干渉が生じることが考えられる。しかし、ＲＦ周波数は同じでも周波数配置が互いに異なっているので、干渉の影響は極めて少ない。
【００９０】
また、送信および受信において同一の局部発振器を使用しているので、系統１と系統２との間の分離が不十分になり、干渉が生じることが考えられる。しかし、系統１および系統２におけるＩＦ信号は、周波数は同じでも周波数配置が互いに異なっているので、干渉の影響は極めて少ない。なお、同一の局部発振器を使用することによってリピータ装置４００の低廉化を図ることができる。
【００９１】
また、リピータ装置４５０は、リピータ装置４００の入出力を反転することによって構成することができるので、リピータ装置４００と同様に干渉による影響を軽減することができる。
【００９２】
また、本実施の形態は、図４に示すように、装置４７０、リピータ装置４００、リピータ装置４５０、および装置４８０による４段の装置の構成で説明したが、信号を伝送する装置の段数は４段に限定するものではなく、任意に増減してもよい。また、説明で例示した局部発振周波数、中間周波数、ＲＦ周波数等の各周波数も例示した各値に限定するものではない。
【００９３】
なお、受信アンテナ４０１、受信アンテナ４０７、送信アンテナ４０６、および送信アンテナ４１０は、それぞれ、第１の電波受信手段、第２の電波受信手段、第１の電波送信手段、および第２の電波送信手段を構成している。また、第１局部発振器４０２および第２局部発振器４０３は、それぞれ、第１の局部発振手段および第２の局部発振手段を構成している。また、ミクサ４０４およびミクサ４０５は、それぞれ、第１の周波数変換手段および第２の周波数変換手段を構成している。また、ミクサ４０８およびミクサ４０９は、それぞれ、第３の周波数変換手段および第４の周波数変換手段を構成している。
【００９４】
以上のように、本実施の形態のリピータ装置４００によれば、系統１および系統２を伝送させる信号の配置順序をそれぞれ同一にする構成としたので、伝送する信号の送受信部を入れ替えることによって信号を伝送することができ、装置の共通化が図れるので、複数の装置を備えた伝送システムを安価に構築することができる。
【００９５】
なお、本実施の形態のリピータ装置４００において、系統１および系統２はともに局部発振器をアンダーローカルとして使用する構成としたが、２つの系統とも局部発振器をアッパーローカルとして使用する構成としても同様の効果を得ることができる。
【００９６】
また、連続する２つの伝送周波数帯域によって信号伝送する構成例を示したが、連続しない２つの伝送周波数帯域によって信号伝送する構成としても、同様の効果を得ることができる。
【図面の簡単な説明】
【００９７】
【図１】本発明の第１の実施の形態のリピータ装置の構成説明図
【図２】（ａ）周波数配置の一例を示す図  （ｂ）周波数配置を簡略化した三角形で表した図
【図３】本発明の第２の実施の形態のリピータ装置の構成説明図
【図４】本発明の第３の実施の形態のリピータ装置の構成説明図
【図５】従来のリピータ装置による伝送信号を示す図
【符号の説明】
【００９８】
１００、１５０、３００、３５０、４００、４５０  リピータ装置（伝送装置）
１０１、１５１、３０１、３５１、４０１、４５１  受信アンテナ（第１の電波受信手段）
１０７、３０７、４０７  受信アンテナ（第２の電波受信手段）
１０２、３０２、４０２  第１局部発振器（第１の局部発振手段）
１０３、１５３、３０３、４０３、４５３  第２局部発振器（第２の局部発振手段）
１０４、１０８、３０４、３０９、４０４、４０８  ミクサ（第１の周波数変換手段）
１０５、１０９、３０５、３０８、４０５、４０９  ミクサ（第２の周波数変換手段）
１０６、３０６、４０６  送信アンテナ（第１の電波送信手段）
１１０、３１０、４１０  送信アンテナ（第２の電波送信手段）
１７０、１８０、３７０、３８０、４７０、４８０  装置
３１２、３６２  ミクサ
３１１、３６１  局部発振器
【図１】
2005057594.tif 000003
【図２】
2005057594.tif 000004
【図３】
2005057594.tif 000005
【図４】
2005057594.tif 000006
【図５】
2005057594.tif 000007